(57)【要約】  電圧を供給可能である平坦な電極構造（２，２’）と、電極構造（２，２’）を少なくとも部分的に取り囲む絶縁性のプラスチックからなる平坦な遮蔽層（１）とを有する、表面を処理するための処理構造において、電極構造（２，２’）が導電性の添加物を備える注ぎ可能なプラスチックでできており、電極構造（２，２’）と遮蔽層（１）との間の境界層（２２）の領域で電極構造（２，２’）と遮蔽層（１）のプラスチックが材料接合式に互いに結合されることによって、電極構造（２，２’）と遮蔽層（１）との間の確実で固定的な結合が実現される。
2019521467.tif 000002
【特許請求の範囲】
【請求項１】
電圧を供給可能である平坦な電極構造（２，２’）と、前記電極構造（２，２’）を少なくとも部分的に取り囲む絶縁性のプラスチックからなる平坦な遮蔽層（１）とを有する、表面を処理するための処理構造において、前記電極構造（２，２’）は導電性の添加物を備える注ぎ可能なプラスチックでできており、前記電極構造（２，２’）と前記遮蔽層（１）との間の境界層（２２）の領域で前記電極構造（２，２’）と前記遮蔽層（１）のプラスチックが材料接合式に互いに結合されていることを特徴とする処理構造。
【請求項２】
前記電極構造（２，２’）は前記遮蔽層（１）により全面で取り囲まれていることを特徴とする、請求項１に記載の処理構造。
【請求項３】
前記電極構造（２，２’）の導電接続部が前記遮蔽層（１）から導出されていることを特徴とする、請求項１または２に記載の処理構造。
【請求項４】
電圧を供給するための接触構造を、前記遮蔽層（１）を通して前記電極構造（２，２’）へと挿通可能であることを特徴とする、請求項１または２に記載の処理構造。
【請求項５】
前記遮蔽層（１）は当接面（１６’）を構成するために処理側（１３）で型押しされており、これらの当接面の間で、処理されるべき表面に処理構造が当接したときに、プラズマの形成のための空気中間スペース（１７）が成立することを特徴とする、請求項１から４のいずれか１項に記載の処理構造。
【請求項６】
前記処理側（１３）に構成された創傷載置面を有することを特徴とする、請求項１から５のいずれか１項に記載の処理構造。
【請求項７】
前記電極構造（２，２’）と前記遮蔽層（１）のプラスチックは化学的に同一であることを特徴とする、請求項１から６のいずれか１項に記載の処理構造。
【請求項８】
前記電極構造（２，２’）と前記遮蔽層（１）のプラスチックはシリコンであることを特徴とする、請求項１から７のいずれか１項に記載の処理構造。
【請求項９】
前記遮蔽層（１）は、処理されるべき表面に向かって粘着性に構成された、前記電極構造（２，２’）の面から突き出す区域（１０）を有していることを特徴とする、請求項１から８のいずれか１項に記載の処理構造。
【請求項１０】
前記電極構造（２，２’）は電圧の１つの極と接続可能であり、処理されるべき表面がカウンター電極を形成できるように構成されていることを特徴とする、請求項１から９のいずれか１項に記載の処理構造。
【請求項１１】
前記電極構造（２）は電圧を通す２つの電圧極（８）と接続可能である２つの電極帯材（４）を有していることを特徴とする、請求項１から９のいずれか１項に記載の処理構造。
【請求項１２】
前記電極構造（２，２’）と前記遮蔽層（１）のプラスチックは液体の初期状態で互いに混合可能であることを特徴とする、請求項１から１１のいずれか１項に記載の処理構造。
【請求項１３】
前記電極構造（２，２’）と前記遮蔽層（１）のプラスチックは前記境界層（２２）の領域で互いに架橋していることを特徴とする、請求項１から１２のいずれか１項に記載の処理構造。
【請求項１４】
請求項１から１３のいずれか１項に記載の処理構造を有する処理装置において、前記処理構造の平坦な処理側（１３）と処理されるべき表面との間でプラズマを形成するために前記電極構造（２，２’）と接続された高圧供給装置（９）を有していることを特徴とする処理装置。
【請求項１５】
請求項１から１３のいずれか１項に記載の処理構造を製造する方法において、少なくとも前記電極構造（２，２’）と前記遮蔽層（１）との間の境界面（２２）の領域でプラスチックが液体の状態で互いに混合されて一緒に硬化および／または架橋されることを特徴とする方法。
【請求項１６】
鋳型の中へまず前記遮蔽層（１）の少なくとも１つの層が、次いで導電性の添加物を備える前記電極構造（２，２’）のプラスチックが液体の状態で注入され、それによりそれぞれのプラスチックの間の境界領域（２２）で混合が生じ、引き続いて前記プラスチックが一緒に硬化および／または架橋されることを特徴とする、請求項１５に記載の方法。
【請求項１７】
第１のプラスチックが部分架橋され、引き続き、部分架橋した前記第１のプラスチックの上に第２のプラスチックが未架橋の状態で案内されて、前記第２のプラスチックの架橋に伴って部分架橋した前記第１のプラスチックのさらなる架橋が行われることを特徴とする、請求項１５に記載の方法。
【請求項１８】
架橋した状態の第１のプラスチックが架橋可能な官能基を有しており、前記第１のプラスチックの架橋可能な基との第２のプラスチックの二次架橋によって前記第２のプラスチックとの材料接合式の結合が成立することを特徴とする、請求項１５に記載の方法。
【発明の詳細な説明】
【技術分野】
【０００１】
本発明は、電圧を供給可能である平坦な電極構造と、電極構造を少なくとも部分的に取り囲む絶縁性のプラスチックからなる平坦な遮蔽層とを有する、表面を処理するための処理構造に関する。
【０００２】
さらに本発明は、このような種類の処理構造を有する処理装置に関し、ならびに、上述した種類の処理構造を製造する方法に関する。
【背景技術】
【０００３】
電圧の作用のもとで表面を処理することができる、さまざまな処理構造が知られている。処理されるべき表面へ電流が直接導入される処理構造もこれに含まれる。このとき遮蔽層は、操作者による電極への接触を回避する機能を有する。
【０００４】
さらに、処理されるべき表面の誘導加熱を電極によって行うことが知られている。このケースでは遮蔽層は、直接的な電流導入および場合によりフラッシオーバの形成を防止するために、処理されるべき表面に対して電極を絶縁する役目を果たす。
【０００５】
本発明による処理構造の好ましい実施形態では、処理構造はプラズマ処理装置として構成され、電極構造によって高圧場を生成する役目を果たし、それは、処理構造と処理されるべき表面との間の空気スペースまたはガススペースがプラズマを生じるように電離され、それにより、それ自体公知の表面のプラズマ処理が行われることによる。このとき本発明の枠内では、電極構造を電圧の１つの極と接続することができ、処理されるべき表面がカウンター電極を形成する。あるいは、電圧のそれぞれ異なる極と接続される少なくとも２つの電極から電極構造を構成することも可能であり、それにより、各電極の間で電界が生成され、これを用いてプラズマの形成のためにたとえば空気を電離することができる。
【０００６】
処理されるべき表面は、処理によって、たとえばプラズマ処理によって、たとえば保護層などの層を付与するために表面で準備がなされる材料であってよい。その場合に表面の処理は、下塗り処理のような形で層の付着を改善する役目を果たす。このような種類の処理は、プラスチック、金属、木材などからなる材料について考慮の対象となる。
【０００７】
本発明の枠内の１つの好ましい用途は、処理されるべき表面としての人間や動物の皮膚の処理である。特にプラズマの形成については、皮膚表面に対する好ましい効果が証明されている。特に、プラズマ処理は殺菌作用すなわち菌を殺す作用がある。したがって、プラズマ処理のための処理構造を創傷被覆として構成することが知られている。このとき創傷のほうを向いている処理構造の層は、周知のとおり皮膚親和的かつ皮膚適合的であり絶縁性の層として適しているシリコンで構成されていてよい。考慮の対象となる１つの材料は、たとえばドイツ、ブルクハウゼン所在のＷａｃｋｅｒ  Ｃｈｅｍｉｅ  ＡＧ社のシリコンゲルＳＩＬＰＵＲＡＮ（登録商標）である。この２成分シリコンゲルは架橋して軟質のシリコン層となり、このシリコン層がある程度の粘着性を有しており、したがって皮膚の上に付着する。
【０００８】
このような種類の処理構造の考慮の対象となる形態が、たとえば特許文献１によって知られており、誘電体バリアプラズマによる皮膚または創傷の処理について公知となっている。この場合には金属の電極が、シリコンであってよい誘電体へ全面的に埋め込まれる。創傷分泌物の排出を可能にするために、誘電体は貫通孔を備えていてよく、これらの貫通孔を通して創傷分泌物が処理構造の創傷側から遠位の側へと通過することができ、そこでたとえば吸収材料によって吸収されることができる。このとき、埋め込まれた電極も相応の貫通孔を備えていなければならないが、その直径は誘電体にある貫通孔の直径よりも大きく、それにより誘電体は、貫通孔によって形成される通路の領域でも電極を確実に覆うようになっている。このとき、誘電体に埋め込まれた電極は平坦かつ柔軟に単極で構成されており、それにより、皮膚表面に属する物体がカウンター電極として機能する。このときカウンター電極はアースされていてよく、または「浮動電極」として作用する。公知の処理構造の構成は成果が実証されており、それは、誘電体と電極をいずれもそれ自体柔軟に構成することができ、したがって、処理構造全体が場合により不規則な身体部分の形状に適合し、そのようにして健全な皮膚表面や創傷の処理を定義された間隔状況で、かつそれに伴って再現可能な結果をもって行うのに適しているからである。
【先行技術文献】
【特許文献】
【０００９】
【特許文献１】ドイツ特許出願公開第１０２０１４０１３７１６Ａ１号明細書
【発明の概要】
【００１０】
本発明の課題は、冒頭に述べた種類の処理構造の構成を簡素化して、いっそう高い信頼度で構成することにある。
【００１１】
この課題を解決するために本発明によると、冒頭に述べた種類の処理構造は、電極構造が導電性の添加物を備える注ぎ可能なプラスチックでできており、電極構造と遮蔽層との間の境界層の領域で電極構造と遮蔽層のプラスチックが材料接合式に互いに結合されていることを特徴とする。
【００１２】
このように本発明による処理構造では、電極が金属の電極として誘電性のプラスチック層により少なくとも部分的に取り囲まれるのではなく、特に全面的に埋め込まれるのではなく、電極がそれ自体として、添加物により導電性にされた適当なプラスチックから構成される。このような種類の電極はそれ自体公知である。本発明ではそれが処理構造を構成するために利用され、そのようにして、電極構造と遮蔽層との間の材料接合式の結合を可能にし、この結合はプラスチックそのものによってもたらされ、電極構造と遮蔽層との間の境界層に追加の接着層を有さない。このように、電極構造と遮蔽層をいわば統一的な材料として構成することができ、それにより、遮蔽層からの電極構造の離層に対する高い安定性を保証する。このことが特に意義があるのは、処理構造が好ましくは柔軟であり、困難な身体部分にも適合できるようにするために、すなわちたとえば手首の関節を包囲できるようにするために、強い曲げを可能にする場合である。
【００１３】
電極構造のプラスチックと遮蔽層のプラスチックとの間の本発明による材料接合式の結合は、少なくとも境界層の領域でのこれらのプラスチックの混合後、これらのプラスチックが、少なくともこの領域で、一緒に硬化および／または架橋するときに容易な仕方で成立する。別の好ましい実施形態では、電極構造と遮蔽層について化学的に同じプラスチックが使用され、それによってこれらを良好に混合することができる。このとき電極構造については、金属粒子、たとえばマクロ粒子もしくはナノ粒子、グラファイト粉末などであってよい導電性の添加物をプラスチックが備えているにすぎない。
【００１４】
別案として、プラスチックの混合を省略し、境界層で互いに突き合わされる電極構造と遮蔽層のプラスチックが相互に架橋することによって、材料接合式の結合を成立させることも可能である。このことは、まず第１のプラスチックが部分架橋だけされ、第２のプラスチックが架橋するときにこれとともに、当初の架橋の意味でさらに架橋されることによって行うことができる。別の実施形態では、未架橋の第２のプラスチックが供給されたとき、これが架橋するときに第１のプラスチックと第２のプラスチックとの間の二次架橋を生じさせる、架橋可能な周縁の官能基を第１のプラスチックが有していれば、第１のプラスチックを完全に架橋させることもできる。
【００１５】
本発明の好ましい実施形態では、電極構造は遮蔽層によって全面で取り囲まれる。このことが特に好ましいのは、本発明の１つの好ましい実施形態において誘電体バリアプラズマによる処理について該当するように、電極に高圧が供給される場合である。
【００１６】
この構成では、電極構造の導電性の接続部を遮蔽層から導出することが可能である。別案として、たとえば同じく遮蔽層によって取り囲まれる接続舌部を有するように電極構造を構成し、遮蔽層を貫通することによって電極構造との接触を成立させる接触構造によって電圧を供給することも可能である。このような種類のセルフタッピン式の接点による接触は、たとえば欧州特許第２７２３４４７Ｂ１号明細書によって公知である。
【００１７】
本発明の処理構造についても、遮蔽層が処理側で当接面を形成するために型押しされており、処理されるべき表面に処理構造が当接したときに、これらの当接面の間でプラズマを形成するための空気中間スペースが成立すると好都合であり得る。このとき型押しは不規則的または規則的であってよい。欧州特許出願公開第２５１５９９７Ａ１号明細書より、円形のディンプルの形態の型押しが公知であり、ドイツ特許出願公開第１０２０１３０１９０５７Ａ１号明細書からは、遮蔽層の処理側に形成されて場合によりケア物質や治療物質で充填することができる片側で開いたチャンバの形態の型押しも公知である。
【００１８】
創傷処理構造としての用途については、処理側に創傷載置面が構成されていると好都合である。この創傷載置面は遮蔽層そのものの適当な材料によって形成されていてよく、または、遮蔽層の処理側に補完として装着されていてよい。
【００１９】
遮蔽層と電極構造については、特にあらゆる形態のシリコン、好ましくはシリコンゲルの形態のシリコンが適している。
【００２０】
特に創傷処置の目的については、遮蔽層が電極の面から突き出す区域を有していて、この区域が処理されるべき表面に向かって粘着するように構成されている、本発明による処理構造の実施形態が適している。場合により、そのためにシリコンゲルそのものの粘着性の特性を活用することができる。このケースでは、シリコン層が創傷の周辺の皮膚への構造全体の取付けをすでに惹起し、それにより、場合によっては処理構造に追加しての二次包帯を省略することができる。
【００２１】
本発明による処理構造の電極構造として、処理されるべき面またはその背後にある物体がカウンター電極として機能するのであれば、単極の電極を使用することができる。別案として、電極構造は少なくとも２極で構成されていてよく、両方の極が電圧供給の極と接続される。そして電極は、処理構造の面にわたって多くの領域で一方の極の電極が他方の極の電極の近傍でこれと平行に延びるように成形および位置決めされるのが好都合であり、それにより、これら両方の極の間でプラズマ形成に適した空間的な電界が生じる。電界が面にわたって分散され、局所的にのみ存在するのではないようにするために、両方の電極の極は帯状に構成されて、処理構造の面にわたって平行または反平行に案内されるのが好ましい。この場合、メアンダ形、螺旋形の推移、櫛形の構造などが適している。
【００２２】
本発明の処理構造を用いて、電極構造と処理されるべき表面との直接的な接触を改変するために構成および位置決めされる処理装置が構成されるのが好ましい。すでに説明したとおり、特に誘電体バリアプラズマ処理については、電極構造を電気的な遮蔽層へ全面的に埋め込むのが好適である。
【００２３】
電極構造のプラスチックと遮蔽層のプラスチックとの間での本発明に基づく材料接合の製作は、少なくとも電極構造と遮蔽層との間の境界面の領域でプラスチックが液体の状態で互いに混合され、一緒に硬化および／または架橋されることによって成立する。このようにして、統一的なマトリクス構造によって、または１つのマトリクス構造から別のマトリクス構造への順次の移行によって、材料接合が惹起される。
【００２４】
電極構造および／または遮蔽層を予備製作し、部分的または全面的に架橋または硬化させ、引き続いて境界面の領域で液化させ、または少なくとも膨化させ、そのようにして一緒での硬化および／または架橋をこの領域で実現することが十分に可能である。
【００２５】
しかしながら、鋳型の中へまず遮蔽層の少なくとも１つの層が、次いで導電性の添加物を備える電極構造のプラスチックがそれぞれ液体の状態で注入されるのが好ましく、それによりそれぞれのプラスチックの間の境界領域で混合が生じ、引き続いて冷却によってプラスチックが一緒に硬化および／または架橋される。このとき、たとえばシリコンゲルで場合により行われる架橋は、温度依存的または温度非依存的に架橋を生じさせる架橋成分によって行うことができる。
【００２６】
プラスチックが互いに架橋をするケースでは、境界領域でのプラスチックの混合を省略することができる。そのために、電極構造または遮蔽層がまずプラスチックで成形されて部分架橋されることを意図することができる。そして、たとえば射出成形金型などの金型の中で、別のプラスチックを射出して架橋させることができ、この第２のプラスチックはその際に、最初は部分架橋のみされる第１のプラスチックがさらに架橋されるように選択される。
【００２７】
その別案として、第１のプラスチックを事実上全面的に架橋させ、その際に架橋可能な官能基を付与することも可能である。このとき第１のプラスチックは予備成形された部品として射出成形金型に入れることができ、この射出成形金型によって、未架橋の液体の状態で供給される第２のプラスチックの成形が行われる。このとき第２のプラスチックは、第１のプラスチック部品の架橋可能な基とともに二次架橋を生成するように選択される。特にシリコンの場合、このことは、水の分解のもとでの重縮合反応を可能にするＯＨ基によって可能である。さらに別の例は、他のシリコンプラスチックの反応性ビニル基との付加架橋を可能にする、反応性の残留ＳｉＨ基によってもたらされる。あるいは二次架橋については、これ以外のあらゆる重合反応も適している。
【００２８】
次に、図面に示されている実施例を参照しながら本発明について詳しく説明する。図面は次のものを示す。
【図面の簡単な説明】
【００２９】
【図１】電圧供給装置に接続された本発明による処理構造の第１の実施例を示す平面図である。
【図２】図１の処理構造を示す線Ａ−Ａに沿った断面図である。
【図３】改変された電圧供給装置に接続された処理構造の図１の実施例である。
【図４】電極構造を明示するための図面で示す図３の構造である。
【図５】本発明による処理構造の第２の実施例を示す平面図である。
【図６】図５の処理構造を示す線Ｂ−Ｂに沿った断面図である。
【図７】高圧供給装置の１つの極に接続された本発明による処理構造の第３の実施例を示す平面図である。
【図８】図７の処理構造を示す断面図である。
【図９】図７の処理構造を示す下から見た図である。
【発明を実施するための形態】
【００３０】
図１および図２は、遮蔽層１が電極構造２を全面で取り囲むように電極構造２が埋め込まれた誘電性の遮蔽層１を有する処理構造を図示している。そのために遮蔽層１は、顕著な通電を防止する十分な厚みの誘電性の遮蔽部によって電極構造２が全面で取り囲まれるような厚みで構成される。遮蔽層１は側方の接続舌部３を形成し、その中へと電極構造２が延びている。
【００３１】
特に図４から見て取れるように、電極構造２は、帯状の導体として互いに平行に延びる、楕円の形状で螺旋状に巻回された２つの電極帯材４を有しており、それぞれの内側の端部５は反平行に向く直線状の区間で、それぞれ他方の電極帯材のループの中で終端している。接続舌部３の中で両方の電極帯材は互いに平行に延びて、接続回線７を介して高圧供給装置９のそれぞれ１つの極８と接続された接触面６で終わっている。図１に模式的に示すように、１つの極にはアース電位を中心として振動する交流電圧が印加されるのに対して、他方の極８はアース電位になっている。このように、電極構造２は交番交流高圧の供給を受ける。両方の電極帯材４は、常に平行に延びる区域をもって互いに入れ替わるように配置されており、それにより、高圧供給装置９の交流高圧は常に各電極帯材の互いに平行に位置する区域の間で印加されて、誘電体バリアプラズマを形成するのに適した電界をそこで局所的に生成する。
【００３２】
誘電性の遮蔽層１は、電極構造２および電極構造２を埋め込む遮蔽層１にわたって、接続舌部３を除いて全面に延び、下面１１で粘着性に構成された区域１０を一体的に備えており、それにより、この処理構造は下面１１の粘着性の区域１０をもって身体部分の皮膚の上に、一種の絆創膏のように取り付けることができる。
【００３３】
図２は、電極帯材４の形態の電極構造２を全面に埋め込む他の遮蔽層１に比べて小さい区域１０の厚みを明示している。
【００３４】
図１および図２からさらに見て取れるように、誘電性の遮蔽層１は電極帯材４の外部に貫通孔１２を備えており、これらの貫通孔を通して、一方では空気が創傷面に達することができ、他方では創傷面から創傷分泌物を、処理側１３を形成する遮蔽層１の下面から遠位に位置する上面１４へと輸送可能である。
【００３５】
図１が明示するように、貫通孔はそれぞれの電極帯材４の間の中間スペースにあり、それにより、電極構造２の絶縁が貫通孔によって脅かされることがない。
【００３６】
図２からさらに見て取れるように、電極構造２は、本発明のこの実施形態では平坦な電極帯材によって構成される、わずかな上下の長さを有する平面状の構造である。これらの電極は、誘電性の遮蔽層１が製作されるシリコンに相当する、導電性の添加物によって導電性になったシリコンから形成されるのが好ましい。
【００３７】
図３は、高圧供給装置の両方の極８が、相互に１８０°だけ位相ずれを有する交番交流電圧に両方とも接続されていてよいことを明示しているにすぎず、それにより、結果として生じる電圧差は、それぞれの電極帯材４の間で局所的な電界を形成するために２倍の振幅を有することになる。
【００３８】
図５および図６に示す第２の実施例が図１〜図４の第１の実施例と相違するのは、誘電性の遮蔽層１の処理側１３が平滑に構成されるのではなく、半球状の隆起部の形態の型押し１５を有していることによってにすぎず、これらの型押しの表面をもって、処理されるべき表面の上に、すなわち特に身体部分の皮膚の上に、処理構造を載置することができる。それぞれの載置面１６’の間に空気中間スペース１７があり、その中で、処理構造が身体部分の皮膚の上に載置されたときに、電極帯材４の間で生成される電界によってプラズマを形成することができる。
【００３９】
図７〜図９に示す実施例は、誘電性の遮蔽層１の実質的に正方形の面を有しており、これに一体的に区域１０’がクローバーの葉状に後続している。電極構造２’は連続する導電性の面によって構成され、そこに円形の貫通孔１８がある。電極構造２’の導電性の面は誘電性の遮蔽層１に全面で埋め込まれている。貫通孔１８と同心的に、誘電性の遮蔽層の貫通孔１２が延びているが、その直径は、電極構造２’にある貫通孔１８の直径よりも明らかに小さい。それにより、創傷面の通気や創傷分泌物の排出のために作用する貫通孔１２の領域でも、電極構造２’に対する十分な絶縁が常に成立することが保証される。この実施例における誘電性の遮蔽層１も、電極構造２’の相応の付加部が中に入るように延びる接続舌部３’を有しており、接続舌部３’の領域でも電極構造２’は完全に誘電性の遮蔽層１により全周で遮蔽されている。接触は接点１９を介して行われ、これを介して高圧供給装置９の高圧電位が電極構造２’へと伝えられる。この実施形態では、処理されるべき表面の物体が、高圧供給装置９の交流高圧のためのカウンター電極を形成する。
【００４０】
図９の下側から見た図は、誘電性の遮蔽層１の処理側１３の型押し１５’を明示している。型押し１５’は格子状にアライメントされた壁部２０によって形成されており、これらの壁部は貫通孔１２，１８の周囲で、処理されるべき表面に向かって開いたチャンバ２１（図８）を形成し、これらのチャンバの中で、前述した実施形態の空気中間スペース１７と同様に、身体の皮膚または創傷面の上に処理構造が載置されたときにプラズマを形成することができる。
【００４１】
図６および図８が明示するように、電極構造２，２’と、これらを取り囲む誘電性の遮蔽層１の間にはそれぞれ境界層２２があり、この境界層を介して、本発明に基づき、電極構造２，２’と遮蔽層１の材料が材料接合式に互いに結合される。電極構造２，２’と遮蔽層１が、たとえばいわゆる液状シリコンゴムやシリコンゲルのような、化学的に実質的に同じプラスチックでできていると好ましい場合がある。このようなプラスチック材料はプラスチックマトリクスとしては絶縁性である。電極構造２，２’のために、絶縁性のプラスチック材料に導電性の添加物が添加され、それにより、電極構造２，２’の所要の導電性の構成が、絶縁性のプラスチックマトリクスの使用にもかかわらず可能となる。このようにして、柔軟な処理構造が強く変形している場合でも離層に対して確実な結合が電極構造２，２’と誘電性の遮蔽層１との間に成立する。
【００４２】
ただし本発明の枠内では、電極構造２，２’と遮蔽層１について異なるプラスチックを使用することも可能であり、これらのプラスチックを互いに直接的に、または二次架橋を介して、境界層２２の領域で互いに架橋させることができる。
【図１】
2019521467.tif 000003
【図２】
2019521467.tif 000004
【図３】
2019521467.tif 000005
【図４】
2019521467.tif 000006
【図５】
2019521467.tif 000007
【図６】
2019521467.tif 000008
【図７】
2019521467.tif 000009
【図８】
2019521467.tif 000010
【図９】
2019521467.tif 000011
【国際調査報告】
2019521467.tif 000012
2019521467.tif 000013
2019521467.tif 000014
2019521467.tif 000015